(57)【要約】【課題】駐輪場の利用者が自転車を駐輪している間、簡便にベビーカーを借りることができる無人のベビーカーレンタル・駐輪システムを提供する。【解決手段】ベビーカーレンタル・駐輪システム２は、利用者の自転車Ｃが入庫され、出庫される複数の駐輪設備３と、利用者にベビーカーＢを貸し出し、貸し出したベビーカーＢの返却を受け付ける複数の貸出設備４と、駐輪設備３に対する自転車Ｃの入庫および出庫と、貸出設備４からのベビーカーＢの貸し出しおよび返却とを管理する管理装置５とを備える。管理装置５の制御により、ベビーカーＢは、駐輪設備３に自転車Ｃを駐輪している利用者にのみ貸し出され、ベビーカーＢを借りた利用者は、ベビーカーＢを貸出設備４に返却した場合にのみ、駐輪設備３から自転車Ｃを出庫することができる。【選択図】図１
2019028496.tif 000002
【特許請求の範囲】
【請求項１】
駐輪場に設置されるベビーカーレンタル・駐輪システムであって、
前記駐輪場の利用者の自転車が入庫され、出庫される複数の駐輪設備と、
前記駐輪場の利用者にベビーカーを貸し出し、貸し出した前記ベビーカーの返却を受け付ける複数の貸出設備と、
前記駐輪設備に対する前記自転車の入庫および出庫と、前記貸出設備からの前記ベビーカーの貸し出しおよび返却とを管理する管理装置と、
を備えることを特徴とするベビーカーレンタル・駐輪システム。
【請求項２】
前記管理装置は、前記駐輪設備に前記自転車を駐輪している利用者にのみ、前記貸出設備からの前記ベビーカーの貸し出しを許容し、貸し出した前記ベビーカーが前記貸出設備に返却された場合にのみ、前記駐輪設備に駐輪していた前記自転車の出庫を許容する、
ことを特徴とする請求項１に記載のベビーカーレンタル・駐輪システム。
【請求項３】
前記駐輪設備は、
前記自転車が収容される自転車収容手段と、
前記自転車収容手段に前記自転車が収容されているか否かを検知する自転車検知手段と、
前記自転車収容手段に収容された前記自転車をロックする自転車ロック手段と、
を備え、
前記貸出設備は、
前記ベビーカーを収容するベビーカー収容手段と、
前記ベビーカー収容手段に前記ベビーカーが収容されているか否かを検知するベビーカー検知手段と、
前記ベビーカー収容手段に収容された前記ベビーカーをロックするベビーカーロック手段と、
を備え、
前記管理装置は、
前記ベビーカーを貸し出す際に、利用者の自転車が前記自転車収容手段に収容されていることが前記自転車検知手段によって検知された場合に、前記自転車ロック手段により前記自転車をロックし、その後に前記ベビーカーロック手段を解除して前記ベビーカー収容手段から前記ベビーカーを貸し出し可能にする貸出制御手段と、
前記ベビーカーの返却を受け付ける際に、貸し出された前記ベビーカーが前記ベビーカー収容手段に収容されていることが前記ベビーカー検知手段によって検知された場合に、前記ベビーカーロック手段により前記ベビーカーをロックし、その後に前記自転車ロック手段を解除して前記自転車収容手段から利用者の前記自転車を出庫可能にする返却制御手段と、
を備えることを特徴とする請求項２に記載のベビーカーレンタル・駐輪システム。
【請求項４】
前記管理装置は、
利用者が前記ベビーカーの貸し出しを申し込むための操作手段と、
前記ベビーカーの貸し出しおよび返却に関する情報を表示する表示手段と、
前記駐輪設備の利用状況が管理された駐輪情報と、前記ベビーカーの貸出状況が管理され、前記ベビーカーを貸し出す際に利用者の自転車が入庫された前記駐輪設備の設備番号が対応付けられる貸出情報と、を記憶する記憶手段と、
を備えており、
前記貸出制御手段は、前記操作手段から前記ベビーカーの貸し出しが申し込まれた場合に、前記記憶手段を参照して前記ベビーカーの貸し出しが可能な前記貸出設備を特定し、特定した前記貸出設備の設備番号である貸出番号を前記表示手段に表示する、
ことを特徴とする請求項３に記載のベビーカーレンタル・駐輪システム。
【請求項５】
前記貸出制御手段は、前記操作手段から前記ベビーカーの貸し出しが申し込まれた場合に、前記記憶手段を参照して前記ベビーカーの貸出専用とされた前記駐輪設備の中から前記自転車の入庫が可能な前記駐輪設備を特定し、特定した前記駐輪設備の設備番号を前記貸出設備の貸出番号とともに前記表示手段に表示する、
ことを特徴とする請求項４に記載のベビーカーレンタル・駐輪システム。
【請求項６】
前記貸出制御手段は、前記操作手段から前記ベビーカーの貸し出しが申し込まれた場合に、前記記憶手段を参照して全ての空いている前記駐輪設備の中から選択した前記駐輪設備の設備番号を、前記貸出設備の貸出番号とともに前記表示手段に表示する、
ことを特徴とする請求項４に記載のベビーカーレンタル・駐輪システム。
【請求項７】
前記貸出制御手段は、前記駐輪設備に自転車を入庫した後の利用者が前記操作手段から前記ベビーカーの貸し出しを申し込み、かつ前記自転車を入庫した前記駐輪設備の設備番号を入力した場合に、当該駐輪設備の前記自転車検知手段により前記自転車の入庫を検知し、入庫が確認された場合に、前記記憶手段を参照して前記ベビーカーの貸し出しが可能な前記貸出設備を特定し、特定した前記貸出設備の貸出番号を前記表示手段に表示する、
ことを特徴とする請求項４に記載のベビーカーレンタル・駐輪システム。
【請求項８】
前記ベビーカーと、前記貸出設備とはそれぞれ対応付けられており、前記返却制御手段は、前記貸出設備に対応付けられた前記ベビーカーが前記ベビーカー収容手段に収容された場合に返却を受け付ける、
ことを特徴とする請求項３ないし７のいずれか１項に記載のベビーカーレンタル・駐輪システム。
【請求項９】
前記貸出制御手段は、前記ベビーカーの貸し出しあるいは返却処理中は、新たなベビーカーの貸し出しあるいは返却の申込みの操作を受け付けない、
ことを特徴とする請求項３ないし８のいずれか１項に記載のベビーカーレンタル・駐輪システム。
【請求項１０】
前記貸出制御手段は、前記ベビーカーの貸し出し時に、前記記憶手段に記憶された前記駐輪設備および前記ベビーカーの利用に関する料金情報を参照して前記ベビーカーの利用料金あるいは保証金の徴収を行い、前記返却制御手段は、前記ベビーカーの返却時に、前記料金情報を参照して前記駐輪設備の利用料金の徴収、および前記ベビーカーの利用料金の清算処理を行う、
ことを特徴とする請求項４に記載のベビーカーレンタル・駐輪システム。
【発明の詳細な説明】
【技術分野】
【０００１】
本発明は、駐輪場で利用される駐輪システムにベビーカーのレンタルシステムをリンクしたベビーカーレンタル・駐輪システムに関する。
【背景技術】
【０００２】
近年、環境対策や健康増進のために自転車の利用が促進されている。また、自転車の違法駐輪、いわゆる放置自転車の増加を防ぐために、駅や商業施設などの公共施設周辺には駐輪場が併設されている。駐輪場の利用者の多くは、自宅から自転車に乗って駅や商業施設などへ向かい、駐輪場に自転車を駐輪して駅や商業施設などを利用する。そのため、駐輪場の利用時間は比較的短時間であることが多い。
【０００３】
駐輪場利用者の一定数は、乳幼児を同伴した母親、父親などの保護者である。例えば、自宅で乳幼児を見てくれる人がいない場合、乳幼児を背負ったり、自転車の専用シート（チャイルドシート、ベビーシートなど）に乗せたりして自宅から駅などに向かい、自転車を駐輪場に預けている間は乳幼児を同伴して行動する。乳幼児を連れた保護者は、自転車を駐輪後、乳幼児を背負ったり、抱いたりして行動することになるが、乳幼児の体重の負荷がかかると、肉体的な負担が増し行動範囲が狭まるばかりでなく、心理面でも行動意欲の低下を招くと考えられる
【０００４】
乳幼児を同伴して行動する場合、ベビーカー（乳母車、バギーなど）があれば、身体的および精神的負担が減少し行動範囲が広がるため、電車に乗ったり、街や施設を徒歩で移動することが容易になり、非常に有用である。そのため、駐輪場に自転車を預けている間、ベビーカーに乳幼児を乗せて行動することが望ましいが、自転車にベビーカーを乗せて運ぶことはできないので、従来は、自転車での移動先でベビーカーを利用することはできなかった。
【０００５】
移動先でベビーカーを利用可能にするために、店舗に複数台のベビーカーを用意し、店舗に訪れた利用者にベビーカーをレンタルするベビーカー・レンタルシステムが発明されている（例えば、特許文献１参照）。このレンタルシステムによれば、自転車で乳幼児を伴って移動した場合でも、その移動先でベビーカーを利用することが可能となる。
【先行技術文献】
【特許文献】
【０００６】
【特許文献１】特開２０１７−０４９７７７号公報
【発明の概要】
【発明が解決しようとする課題】
【０００７】
従来、自転車に乳幼児を乗せた利用者が特許文献１に記載のベビーカー・レンタルシステムなどを利用する場合、利用者は自転車を駐輪場に預けた後、乳幼児を連れてレンタル店まで移動してベビーカーをレンタルすることになる。しかしながら、駐輪場とレンタル店とが離れた位置にある場合、乳幼児を連れての移動は容易ではない。また、駐輪場に自転車をとめてレンタル店まで移動したものの、ベビーカーの在庫がなく、ベビーカーが借りられないという事態も発生し得る。
【０００８】
さらに、特許文献１などに記載の既存のベビーカー・レンタルシステムは、店舗に常駐する従業員が利用者と対面してレンタルの受け付けを行い、その後にベビーカーを利用者にレンタルするシステムであるため、これを運営するには、店舗の利用に係る費用や、従業員の人件費などが必要となり、ベビーカーを低価格でレンタルするのが難しくなる。また、店舗が開いている時間しかベビーカーをレンタルすることができないので、早朝あるいは夜間、休日などの利用ができない。
【０００９】
そこで本発明は、駐輪システムにベビーカーのレンタルシステムをリンクすることによって、駐輪場の利用者が自転車を駐輪している間、簡便にベビーカーを借りて利用することができる無人のベビーカーレンタル・駐輪システムを提供することを目的とする。
【課題を解決するための手段】
【００１０】
上記課題を解決するために、請求項１に記載の発明は、駐輪場に設置されるベビーカーレンタル・駐輪システムであって、前記駐輪場の利用者の自転車が入庫され、出庫される複数の駐輪設備と、前記駐輪場の利用者にベビーカーを貸し出し、貸し出した前記ベビーカーの返却を受け付ける複数の貸出設備と、前記駐輪設備に対する前記自転車の入庫および出庫と、前記貸出設備からの前記ベビーカーの貸し出しおよび返却とを管理する管理装置（精算機など）と、を備えることを特徴とする。
【００１１】
請求項２に記載の発明は、請求項１に記載のベビーカーレンタル・駐輪システムにおいて、前記管理装置は、前記駐輪設備に前記自転車を駐輪している利用者にのみ前記貸出設備からの前記ベビーカーの貸し出しを許容し、貸し出した前記ベビーカーが前記貸出設備に返却された場合にのみ、前記駐輪設備に駐輪していた前記自転車の出庫を許容する、ことを特徴とする。
【００１２】
請求項３に記載の発明は、請求項２に記載のベビーカーレンタル・駐輪システムにおいて、前記駐輪設備は、前記自転車が収容される自転車収容手段と、前記自転車収容手段に前記自転車が収容されているか否かを検知する自転車検知手段と、前記自転車収容手段に収容された前記自転車をロックする自転車ロック手段と、を備え、前記貸出設備は、前記ベビーカーを収容するベビーカー収容手段と、前記ベビーカー収容手段に前記ベビーカーが収容されているか否かを検知するベビーカー検知手段と、前記ベビーカー収容手段に収容された前記ベビーカーをロックするベビーカーロック手段と、を備え、前記管理装置は、前記ベビーカーを貸し出す際に、利用者の自転車が前記自転車収容手段に収容されていることが前記自転車検知手段によって検知された場合に、前記自転車ロック手段により前記自転車をロックし、その後に前記ベビーカーロック手段を解除して前記ベビーカー収容手段から前記ベビーカーを貸し出し可能にする貸出制御手段と、前記ベビーカーの返却を受け付ける際に、貸し出された前記ベビーカーが前記ベビーカー収容手段に収容されていることが前記ベビーカー検知手段によって検知された場合に、前記ベビーカーロック手段により前記ベビーカーをロックし、その後に前記自転車ロック手段を解除して前記自転車収容手段から利用者の前記自転車を出庫可能にする返却制御手段と、を備えることを特徴とする。
【００１３】
請求項４に記載の発明は、請求項３に記載のベビーカーレンタル・駐輪システムにおいて、前記管理装置は、利用者が前記ベビーカーの貸し出しを申し込むための操作手段と、前記ベビーカーの貸し出しおよび返却に関する情報を表示する表示手段と、前記駐輪設備の利用状況が管理された駐輪情報と、前記ベビーカーの貸出状況が管理され、前記ベビーカーを貸し出す際に利用者の自転車が入庫された前記駐輪設備の設備番号が対応付けられた貸出情報と、を記憶する記憶手段と、を備えており、前記貸出制御手段は、前記操作手段から前記ベビーカーの貸し出しが申し込まれた場合、前記記憶手段を参照して前記ベビーカーの貸し出しが可能な前記貸出設備を特定し、特定した前記貸出設備の設備番号である貸出番号を前記表示手段に表示する、ことを特徴とする。
【００１４】
請求項５に記載の発明は、請求項４に記載のベビーカーレンタル・駐輪システムにおいて、前記貸出制御手段は、前記操作手段から前記ベビーカーの貸し出しが申し込まれた場合に、前記記憶手段を参照して前記ベビーカーの貸出専用とされた前記駐輪設備の中から前記自転車の入庫が可能な前記駐輪設備を特定し、特定した前記駐輪設備の設備番号を前記貸出設備の貸出番号とともに前記表示手段に表示する（以下、専用駐輪設備型という）、ことを特徴とする。
【００１５】
請求項６に記載の発明は、請求項４に記載のベビーカーレンタル・駐輪システムにおいて、前記貸出制御手段は、前記操作手段から前記ベビーカーの貸し出しが申し込まれた場合に、前記記憶手段を参照して全ての空いている前記駐輪設備の中から選択した前記駐輪設備の設備番号を、前記貸出設備の貸出番号とともに前記表示手段に表示する（以下、駐輪設備選定型という）ことを特徴とする。
【００１６】
請求項７に記載の発明は、請求項４に記載のベビーカーレンタル・駐輪システムにおいて、前記貸出制御手段は、前記駐輪設備に自転車を入庫した後の利用者が前記操作手段から前記ベビーカーの貸し出しを申し込み、かつ前記自転車を入庫した前記駐輪設備の設備番号を入力した場合に、当該駐輪設備の前記自転車検知手段により前記自転車の入庫を検知し、入庫が確認された場合に、前記記憶手段を参照して前記ベビーカーの貸し出しが可能な前記貸出設備を特定し、特定した前記貸出設備の貸出番号を前記表示手段に表示する（以下、駐輪設備利用者選択型という）、ことを特徴とする。
【００１７】
請求項８に記載の発明は、請求項３ないし７のいずれか１項に記載のベビーカーレンタル・駐輪システムにおいて、前記ベビーカーと、前記貸出設備とはそれぞれ対応付けられており、前記返却制御手段は、前記貸出設備に対応付けられた前記ベビーカーが前記ベビーカー収容手段に収容された場合に返却を受け付ける、ことを特徴とする。
【００１８】
請求項９に記載の発明は、請求項３ないし８のいずれか１項に記載のベビーカーレンタル・駐輪システムにおいて、前記貸出制御手段は、前記ベビーカーの貸し出しあるいは返却処理中は、新たな前記ベビーカーの貸し出しあるいは返却の申込みの操作を受け付けない、ことを特徴とする。
【００１９】
請求項１０に記載の発明は、請求項４に記載のベビーカーレンタル・駐輪システムにおいて、前記貸出制御手段は、前記ベビーカーの貸し出し時に、前記記憶手段に記憶された前記駐輪設備および前記ベビーカーの利用に関する料金情報を参照して前記ベビーカーの利用料金あるいは保証金の徴収を行い、前記返却制御手段は、前記ベビーカーの返却時に、前記料金情報を参照して前記駐輪設備の利用料金の徴収、および前記ベビーカーの利用料金の清算処理を行う、ことを特徴とする。
【発明の効果】
【００２０】
請求項１に記載のベビーカーレンタル・駐輪システムによれば、駐輪場の利用者にベビーカーを貸し出すことが可能である。したがって、利用者は、乗ってきた自転車を預けた後、長い距離を移動することなく同じ駐輪場内でベビーカーを借りることができるので、乳幼児を同伴している場合の肉体的、精神的負担が軽減される。また、駐輪設備と貸出設備との管理を管理装置によって無人で行なうので運営費用の削減が可能となり、その分だけベビーカーの貸出料金を安価にすることができ、利用者の利益を図ることが可能となる。さらに、早朝、夜間、休日など、時間や曜日に関係なくベビーカーの貸し出しを行なうこともできるようになる。
【００２１】
請求項２に記載のベビーカーレンタル・駐輪システムによれば、管理装置は、駐輪設備に自転車を駐輪した利用者に貸出設備からのベビーカーの貸し出しを許容するので、自転車で乳幼児とともに移動する利用者の便益を図ることができる。また、ベビーカーの貸し出しが、駐輪設備に自転車を駐輪している利用者に限定されることにより、駐輪場に付加価値を与え、近隣に多数の駐輪場がある場合でも、ベビーカーを借りたい利用者を集客することが可能となり、駐輪場の安定した運営が可能となる。さらに、貸し出したベビーカーが貸出設備に返却された場合にのみ、駐輪設備に駐輪していた自転車の出庫を許容するようにしたので、自転車を担保としてベビーカーを貸し出すことになり、ベビーカーが適切に返却されずに駐輪場内に放置されたり、窃取されるなどの問題を防ぐことができ、駐輪場の安定した運営が可能となる。
【００２２】
請求項３に記載のベビーカーレンタル・駐輪システムによれば、管理装置の貸出制御手段により、ベビーカーを貸し出す際に、利用者の自転車が自転車収容手段に収容されていることが自転車検知手段によって検知された場合に、自転車ロック手段により自転車をロックし、その後にベビーカーロック手段を解除してベビーカー収容手段からベビーカーが貸し出し可能になるように制御するので、人手を介さず、無人かつ自動で駐輪設備の利用を確認し、その確認後にベビーカーの貸し出しを行なうことが可能である。したがって、管理者を置かない無人の駐輪場であっても、駐輪場の利用者にのみ適切にベビーカーの貸し出しを行なうことができる。さらに、返却制御手段により、ベビーカーの返却を受け付ける際に、貸し出されたベビーカーがベビーカー収容手段に収容されていることがベビーカー検知手段によって検知された場合に、ベビーカーロック手段によりベビーカーをロックし、その後に自転車ロック手段を解除して自転車収容手段から利用者の自転車を出庫可能にするので、人手を介さず、無人かつ自動でベビーカーの返却を確認し、その確認後に自転車の出庫を許容することが可能である。したがって、管理者を置かない無人の駐輪場であっても、ベビーカーが適切に返却されたことを確認し、その返却を条件として自転車の出庫を許容することができる。
【００２３】
請求項４に記載のベビーカーレンタル・駐輪システムによれば、管理装置の操作手段からベビーカーの貸し出しが申し込まれた場合に、記憶手段を参照してベビーカーの貸し出しが可能な貸出設備を特定し、特定した貸出設備の貸出番号を表示手段に表示することが可能となる。すなわち、利用者は申し込みの段階で事前にベビーカーの貸し出しが可能か確認することができるので、自転車を駐輪した後やベビーカー貸出設備に移動した後にベビーカーが借りられないことが分かる、という事態を防ぐことができる。また、利用者に供する貸出設備を管理装置側で指示するので、設備の利用状況の管理が容易になる。
【００２４】
請求項５に記載のベビーカーレンタル・駐輪システム（専用駐輪設備型）によれば、操作手段からベビーカーの貸し出しが申し込まれた場合に、記憶手段を参照してベビーカーの貸出専用とされた駐輪設備の中から自転車の入庫が可能な駐輪設備を特定し、特定した駐輪設備の設備番号を貸出設備の貸出番号とともに表示手段に表示するので、申し込みの段階で事前に自転車の駐輪が可能かを確認することができ、ベビーカーを借りた後や駐輪設備に移動した後に駐輪設備の空きが無いため自転車を駐輪できない、という事態を防ぐことができる。また、申し込み操作の過程に駐輪設備の設備番号を入力するステップがないため、設備番号の誤入力によるトラブルや、故意に他の利用者が使用中の設備番号を入力してベビーカーを不正にレンタルするといった不正行為は生じない。さらに、利用者に供する駐輪設備を管理装置側で指示するので、設備の利用状況の管理が容易になる。また、ベビーカーレンタル専用の駐輪設備を設置する専用駐輪設備型であるため、駐輪場の運用者には、システムが簡便であるという利点があり、利用者には、利用できるベビーカーがあれば、必ず駐輪ができるという利点がある。
【００２５】
請求項６に記載のベビーカーレンタル・駐輪システム（駐輪設備選定型）によれば、貸出制御手段は、操作手段からベビーカーの貸し出しが申し込まれた場合に、記憶手段を参照して全ての空いている駐輪設備の中から選択した駐輪設備の設備番号を、貸出設備の貸出番号とともに表示手段に表示するので、請求項５に記載の発明と同様の効果を得ることが可能である。また、システム側で駐輪設備を選定する駐輪設備選定型であり、ベビーカーレンタル専用の駐輪設備がないため、運用者には駐輪設備の利用効率が上がるという利点がある。さらに、ベビーカーをレンタルしない駐輪場利用者が誤ってレンタル専用の駐輪設備に自転車を入庫するといったトラブルが生じない。
【００２６】
請求項７に記載のベビーカーレンタル・駐輪システムによれば、請求項５、６に記載の駐輪システムと異なり、ベビーカー貸し出しの申し込み前に自転車を入庫するので、利用者は空いている駐輪設備を自由に選択できるという利点がある。また、請求項５、６に記載のシステムでは、貸し出しの申し込み操作後に、空いている駐輪設備がないため、申し込みが取り消され操作が終了するという事態が生じうるが、請求項６に記載にシステムではこのような事態は生じないため、利用者にとり無駄な手間を防ぐことができる。
【００２７】
請求項８に記載のベビーカーレンタル・駐輪システムによれば、ベビーカーと貸出設備とを対応付けしておき、貸出設備に対応付けられたベビーカーが収容された場合に返却を受け付けるようにしたので、ベビーカーが誤った貸出設備に返却されたり、貸し出したものとは違うベビーカーや、ベビーカー以外の物品が返却されて、貸し出したベビーカーが不正に詐取されるのを防ぐことが可能である。
【００２８】
請求項９に記載のベビーカーレンタル・駐輪システムによれば、ベビーカーの貸し出しあるいは返却処理中は、新たなベビーカーの貸し出しあるいは返却の申込みなどの操作を受け付けないようにしたので、複数の利用者が一度に管理装置を使用することで、複数の利用者で駐輪設備および貸出設備の組み合わせに誤りが生じるなどの誤作動を防ぐことが可能である。
【００２９】
請求項１０に記載のベビーカーレンタル・駐輪システムによれば、ベビーカーの貸し出し時あるいはベビーカーの返却時に、記憶手段に記憶された料金情報を参照してベビーカーの利用料金の徴収や清算処理を行うようにしたので、利用者からの利用料金の適切な徴収が可能となり、駐輪場の安定した運営が可能となる。特に、貸し出し時に利用料金を徴収する際に、例えば、ベビーカーの返却時に返金される保証金を含めた料金設定とすることができ、ベビーカーの不正な詐取を防ぐことが可能となる。
【図面の簡単な説明】
【００３０】
【図１】この発明の実施の形態１〜３に係る駐輪システムを設置した駐輪場の一例を示す概略構成図である。
【図２】図１の駐輪設備の構成を示す側面図である。
【図３】図１の貸出設備の構成を示す側面図である。
【図４】図１の管理装置の構成を示す正面図である。
【図５】図１の管理装置の電気的構成を示すブロック図である。
【図６】図５の駐輪情報を示す説明図である（実施の形態１）。
【図７】図５の貸出情報を示す説明図である（実施の形態１）。
【図８】ベビーカーの貸出、返却に係る一連の処理手順を示すフローチャートである。
【図９】図８の貸出タスクの処理手順を示すフローチャートである（実施の形態１）。
【図１０】図８の返却タスクの処理手順を示すフローチャートである。
【図１１】図８の貸出タスクの処理手順を示すフローチャートである（実施の形態２）。
【図１２】図５の駐輪情報を示す説明図である（実施の形態２）。
【図１３】図５の貸出情報を示す説明図である（実施の形態２）。
【図１４】図８の貸出タスクの処理手順を示すフローチャートである（実施の形態３）。
【発明を実施するための形態】
【００３１】
以下、この発明を図示の実施の形態に基づいて説明する。
【００３２】
（実施の形態１）
図１〜図１０は、この発明の実施の形態を示し、図１は、この実施の形態に係るベビーカーレンタル・駐輪システム２を設置した駐輪場１の一例を示す概略構成図である。このベビーカーレンタル・駐輪システム２は、ベビーカーの貸出利用者専用の駐輪設備を設置する専用駐輪設備型である。
【００３３】
駐輪場１は、例えば、駅や商業施設などの公共的な施設内、あるいはその近傍に設けられた屋内型の駐輪場であり、通路から出入りが可能な出入口１１と、自転車Ｃが駐輪可能なフロア１２とを備える。
【００３４】
ベビーカーレンタル・駐輪システム２は、管理者などが常駐しない無人状態で自転車Ｃの駐輪と、ベビーカーＢのレンタルとが可能なシステムであり、駐輪場１の利用者の自転車Ｃが入庫され、出庫される複数の駐輪設備３と、駐輪場１の利用者にベビーカーＢを貸し出し、貸し出したベビーカーＢの返却を受け付ける複数の貸出設備４と、駐輪設備３に対する自転車Ｃの入庫および出庫と、貸出設備４からのベビーカーＢの貸し出しおよび返却とを管理する管理装置５と、を備える。
【００３５】
駐輪設備３、貸出設備４および管理装置５は、フロア１２上に設置されている。利用者は、出入口１１から自転車Ｃとともに入場し、フロア１２上を移動して駐輪設備３に自転車Ｃを入庫する。また、駐輪設備３から出庫された自転車Ｃは、利用者によってフロア１２上を移動し、出入口１１から出場する。同様に、貸出設備４から貸し出されたベビーカーＢは、利用者によってフロア１２上を移動して出入口１１から出場する。また、ベビーカーＢの返却時には、利用者はベビーカーＢとともに出入口１１から入場してフロア１２上を移動し、貸出設備４に返却する。
【００３６】
管理装置５は、より詳しくは、駐輪設備３に自転車Ｃを駐輪する利用者に貸出設備４からのベビーカーＢの貸し出しを許容するように、駐輪設備３および貸出設備４を管理する。また、貸し出したベビーカーＢが貸出設備４に返却された場合に、駐輪設備３に駐輪していた自転車Ｃの出庫を許容するように、駐輪設備３および貸出設備４を管理する。さらに、管理装置５は、自転車Ｃの駐輪およびベビーカーＢの貸し出しによる料金の徴収を行なう清算機としての機能も備えている。
【００３７】
なお、本実施形態では、駐輪場１に自転車Ｃを預け入れる行為を入庫と言い、駐輪場１から自転車Ｃを出場する行為を出庫と言う。また、ベビーカーレンタル・駐輪システム２の構成として、１０台の駐輪設備３と、２台の貸出設備４と、１台の管理装置５とを備えるベビーカーレンタル・駐輪システム２を例として説明する。駐輪設備３および貸出設備４の近傍に示す番号は、各駐輪設備３の設備番号および貸出設備４の貸出番号（貸出設備の設備番号）である。
【００３８】
また、この実施の形態は、専用駐輪設備型であるため、設備番号１の駐輪設備３は貸出番号１のベビーカーを利用する人専用であり、設備番号２は同様に貸出番号２のベビーカーを利用する人専用となる。これらの台数、位置、組み合わせは施設管理者により設定される。ベビーカーを利用しない人が、設備番号１または２の駐輪設備３に誤って入庫することを防ぐため、駐輪場１、駐輪設備３、管理装置５等にその旨の注意書きを掲示する。
【００３９】
図２は、設備番号が１番の駐輪設備３を側方から見た概略構成図である。駐輪設備３は、自転車Ｃが収容される自転車ラック（自転車収容手段）３１と、自転車ラック３１に自転車Ｃが収容されているか否かを検知する自転車センサ（自転車検知手段）３２と、自転車ラック３１に収容された自転車Ｃをロックする自転車ロック（自転車ロック手段）３３と、駐輪場１の壁１３に設置された番号プレート３４および駐輪位置ランプ３５とを備える。
【００４０】
自転車ラック３１は、自転車Ｃの前輪が載置されるスロープ３１ａと、スロープ３１ａから斜め上方に向けて立ち上げられ、自転車Ｃの前輪を両側面から挟み込むように保持可能にした保持アーム３１ｂとを備える。保持アーム３１ｂは、例えば金属製のパイプを屈曲して構成されている。
【００４１】
自転車センサ３２は、スロープ３１ａに組み込まれていて、自転車Ｃの前輪の重量を検知することにより、自転車ラック３１に自転車Ｃが収容されているか否かを検知する。自転車センサ３２は、自転車ラック３１の保持アーム３１ｂに嵌まるように載置された自転車の重量を検知するので、自転車Ｃ以外の物品が収容されても保持アーム３１ｂに嵌まらず、重量が検知されないので、ベビーカーＢが不正に貸し出されるのを防ぐことができる。
【００４２】
自転車ロック３３は、自転車ラック３１に収容された自転車Ｃの前輪ホイールの側面に対面する位置に配されたロックピン（図示せず）と、このロックピンを前輪ホイール内に挿入されるロック位置と、前輪ホイールから退避する解除位置との間で移動させる移動機構（図示せず）とを備える。ロックピンがロック位置に移動することにより、自転車Ｃは、駐輪設備３から出庫できなくなり、退避位置に移動することにより出庫が可能となる。
【００４３】
番号プレート３４は、駐輪設備３の設備番号を表示するプレートである。駐輪位置ランプ３５は、利用者に自転車Ｃを駐輪する位置を指示するために点滅発光されるランプである。駐輪設備３の自転車センサ３２と、自転車ロック３３と、駐輪位置ランプ３５は、図示しない配線によって管理装置５に電気的に接続されており、管理装置５によって適宜制御される。
【００４４】
なお、設備番号２〜１０の駐輪設備３も、設備番号１の駐輪設備３と同様の構成であるため、詳しい説明は省略する。また、この実施の形態では、１０台の駐輪設備３のうち、設備番号１、２の駐輪設備３は、ベビーカーＢをレンタルする利用者専用（レンタル専用）となっており、自転車Ｃの駐輪のみを目的とする利用者は駐輪できないようになっている。したがって、ベビーカーＢをレンタルする利用者は、貸し出せるベビーカーＢがあれば、必ず自転車Ｃを駐輪することが可能である。また、設備番号１の駐輪設備３は貸出番号１の貸出設備４専用であり、設備番号２の駐輪設備３は貸出番号２の貸出設備４専用となっている。このように、貸出設備４の貸出番号と対応する駐輪設備３との設備番号とが同一であるため、利用者は容易に対応関係を理解することができる。
【００４５】
図３は、貸出番号が１番の貸出設備４を側方から見た概略構成図である。貸出設備４は、ベビーカーＢが収容されるベビーカーラック（ベビーカー収容手段）４１と、ベビーカーラック４１にベビーカーＢが収容されているか否かを検知するベビーカーセンサ（ベビーカー検知手段）４２と、ベビーカーラック４１に収容されたベビーカーＢをロックするベビーカーロック（ベビーカーロック手段）４３と、駐輪場１の壁１３に設置された番号プレート４４および貸出位置ランプ４５とを備える。
【００４６】
ベビーカーラック４１は、ベビーカーＢが載置される台状（板状）のラックである。なお、詳しくは図示しないが、ベビーカーＢがベビーカーラック４１の所定位置に収容されるように、ベビーカーＢのタイヤが挿入されるレールやガイド、タイヤ止めなどを設けるのが好ましい。
【００４７】
ベビーカーセンサ４２は、ベビーカーラック４１に組み込まれていて、ベビーカーＢの四隅に配された前輪および後輪に対応して４個設けられている。４個のベビーカーセンサ４２は、前輪および後輪にかかる重量を検知することにより、ベビーカーラック４１にベビーカーＢが収容されているか否かを検知する。したがって、４つのベビーカーラック４１で均等かつ同時に重量を検知しない場合、ベビーカーＢが収容されていると判断されないので、ベビーカーＢ以外の物品などが不正に返却されるのを防ぐことが可能である。
【００４８】
ベビーカーロック４３は、ベビーカーラック４１に収容されたベビーカーＢの前輪ホイールの側面に対面する位置に配されたロックピン（図示せず）と、このロックピンを前輪ホイール内に挿入されるロック位置と、前輪ホイールから退避する解除位置との間で移動させる移動機構（図示せず）とを備える。なお、ベビーカーＢは、左右一対の前輪を備えており、ベビーカーロック４３は、左右の前輪それぞれに対応して設けられている。ロックピンがロック位置に移動することにより、ベビーカーＢは、貸出設備４から貸し出しができなくなり、退避位置に移動することにより貸し出しが可能となる。
【００４９】
番号プレート４４は、貸出設備４の貸出番号を表示するプレートである。貸出位置ランプ４５は、利用者にベビーカーＢを貸し出す位置を指示するために点滅発光されるランプである。貸出設備４のベビーカーセンサ４２と、ベビーカーロック４３と、貸出位置ランプ４５は、図示しない配線によって管理装置５に電気的に接続されており、管理装置５によって適宜制御される。
【００５０】
図１に示す貸出設備４は、ベビーカーＢが貸し出せる状態を示す。なお、貸出番号２の貸出設備４も、貸出番号１の貸出設備４と同様の構成であるため、詳しい説明は省略する。
【００５１】
ベビーカーＢと、貸出設備４はそれぞれ対応付けられており、ベビーカーＢの目立つ位置には、対応する貸出設備４の貸出番号を表すプレートＢ１が設けられている。これにより、利用者は、ベビーカーＢを返却する際に対応する貸出設備４にベビーカーＢを返却することが可能となる。
【００５２】
また、ベビーカーＢが誤って対応しない貸出設備４に返却されたり、貸し出したものとは異なるベビーカーや、ベビーカー以外の物品が不正に返却されるのを防ぐために、ベビーカーＢと貸出設備４とには、それぞれＩＣタグＢ２と、ＩＣタグリーダ４６とが設けられている。ＩＣタグＢ２は、ベビーカーＢが対応する貸出設備４の貸出番号に関するタグ情報を記憶したメモリと、このタグ情報を無線送信する送信回路とを備える。ＩＣタグリーダ４６は、図示しない配線によって管理装置５に電気的に接続されており、ＩＣタグＢ２から受信したタグ情報を管理装置５に送信する。
【００５３】
図４は、管理装置５の正面図を示す。管理装置５は、フロア１２上に設置された箱状の筐体６と、筐体６の正面に設けられた表示部（表示手段）７と、操作部（操作手段）８とを備える。表示部７は、例えば、液晶ディスプレイパネルからなり、現在日時や自転車Ｃの駐輪手順、ベビーカーＢのレンタル手順、利用者への各種メッセージなどが表示される。
【００５４】
操作部８は、利用者が自転車Ｃの入庫および出庫と、ベビーカーＢの貸し出しおよび返却とを申し込むための操作パネルである。操作部８は、自転車Ｃを入庫する際に操作される入庫ボタン８１と、自転車Ｃを出庫する際に操作される出庫ボタン８２とを備える。また、操作部８には、ベビーカーＢを借りる際に操作される貸出ボタン８３と、ベビーカーＢを返却される際に操作される返却ボタン８４も設けられている。符号８６は、０〜９までのボタンを備えたテンキーであり、自転車Ｃの出庫時に、自転車Ｃを出庫する駐輪設備３の設備番号などを入力する際に使用される。
【００５５】
詳しくは図示しないが、管理装置５の正面部には、利用料金を入金するための入金部や返金するための返金部が設けられている。なお、入金部の他に、回数券やプリペイドカード、電子マネーなどで料金を清算するための清算装置を管理装置５に設けてもよいし、管理装置５と連係するように設けてもよい。
【００５６】
図５は、管理装置５の電気的な構成を示すブロック図である。管理装置５は、上述した表示部７および操作部８の他に、入出力部５１と、データベース（記憶手段、以下ＤＢという）５２と、入庫タスク５３と、出庫タスク５４と、貸出タスク（貸出制御手段）５５と、返却タスク（返却制御手段）５６と、これらを制御などする中央処理部５７と、を備える。
【００５７】
入出力部５１は、管理装置５に各種信号、情報を入力または出力するための入出力ポート（インターフェース）である。入出力部５１には、上述した自転車センサ３２、自転車ロック３３、駐輪位置ランプ３５、ベビーカーセンサ４２、ベビーカーロック４３、貸出位置ランプ４５およびＩＣタグリーダ４６などが接続されている。したがって、管理装置５には、自転車センサ３２およびベビーカーセンサ４２から検知信号が入力され、ＩＣタグリーダ４６からＩＣタグＢ２のタグ情報が入力される。また、管理装置５から自転車ロック３３およびベビーカーロック４３に制御信号が送信されて、ロックおよびロック解除が行われる。さらに、管理装置５から駐輪位置ランプ３５および貸出位置ランプ４５に制御信号が送信されて、点滅および消灯が制御される。
【００５８】
ＤＢ５２は、駐輪設備３に対する自転車Ｃの入庫および出庫と、貸出設備４からのベビーカーＢの貸し出しおよび返却とに利用される各種情報を記憶するデータベースである。ＤＢ５２には、駐輪設備３の利用状況に関する駐輪情報５２１と、ベビーカーＢの貸出状況が管理され、ベビーカーＢを貸し出す際に利用者の自転車Ｃが入庫された駐輪設備３の設備番号が対応付けられた貸出情報５２２と、自転車Ｃの駐輪およびベビーカーＢのレンタルの利用料金に関する料金情報５２３とが記憶されている。
【００５９】
図６に示すように、駐輪情報５２１には、駐輪設備３の設備番号ごとに「属性」、「ステータス」、「入庫時刻」の各情報が記憶されている。属性には、その駐輪設備３がレンタル専用であるか否か、またレンタル専用である場合には、対応する貸出設備４の貸出番号が記憶されている。例えば、設備番号１の駐輪設備３は、貸出番号１の貸出設備４のレンタル専用であるため、属性情報には、「レンタル専用、１」と記憶されている。そのため、レンタル専用ではない設備番号３の属性情報には何も記憶されていない。したがって、管理装置５は、駐輪情報５２１の属性情報を確認することで、どの駐輪設備３がレンタル専用であるかを確認することが可能である。なお、どの駐輪設備をレンタル専用にするかは、駐輪情報５２１の内容を変更することで容易に設定変更可能である。
【００６０】
駐輪情報５２１のステータスには、駐輪設備３に自転車Ｃが駐輪されているか否か、すなわち駐輪設備３が利用可能であるか否かを表す情報、例えば「空」あるいは「入」が記憶されている。したがって、管理装置５は、駐輪情報５２１のステータスを確認することで、利用可能な駐輪設備３を確認することが可能である。
【００６１】
駐輪情報５２１の入庫時刻には、駐輪設備３に自転車Ｃが入庫された時刻、より具体的には、例えば、自転車ロック３３がロックされた時刻が記憶される。この入庫時刻は、駐輪設備３から自転車Ｃを出庫する際に、駐輪設備３の利用料金の算出などに利用される。
【００６２】
図７に示すように、貸出情報５２２には、貸出設備４の貸出番号ごとに「対応設備番号」、「ステータス」、「貸出時刻」の各情報が記憶されている。対応設備番号には、貸出設備４に対応するレンタル専用の駐輪設備３の設備番号が記憶されている。例えば、設備番号１の駐輪設備３は、貸出番号１の貸出設備４のレンタル専用であるため、対応設備番号には、「１」と記憶されている。したがって、管理装置５は、貸出情報５２２の対応設備番号を確認することで、どの駐輪設備３が対応しているかを確認することが可能である。
【００６３】
貸出情報５２２のステータスには、貸出設備４にベビーカーＢが在庫しているか否か、すなわちベビーカーＢがレンタル可能であるか否かを表す情報、例えば「有」あるいは「無」が記憶されている。したがって、管理装置５は、貸出情報５２２のステータスを確認することで、レンタル可能なベビーカーＢを確認することが可能である。
【００６４】
貸出情報５２２の貸出時刻には、貸出設備４からベビーカーＢが貸し出された時刻、より具体的には、例えば、ベビーカーロック４３のロックが解除された時刻が記憶される。この貸出時刻は、貸出設備４にベビーカーＢを返却する際に、ベビーカーＢの利用料金を算出するためなどに利用される。
【００６５】
料金情報５２３には、所定時間（例えば、３０分、１時間、１日）ごとの駐輪設備３の利用料金と、ベビーカーＢのレンタル料金とが記憶されている。例えば、２時間までの駐輪時間を無料とする場合、その旨も料金情報５２３に記憶される。この料金情報５２３は、駐輪設備３の利用料金と、ベビーカーＢの利用料金の算出に利用される。したがって、利用料金の変更時には、利用料金を無料にする場合も含めて、料金情報５２３の内容が変更される。
【００６６】
入庫タスク５３は、駐輪設備３に自転車Ｃを入庫する際の処理に関するタスク・プログラムであり、入庫ボタン８１が操作されると起動する。入庫タスク５３は、ＤＢ５２の駐輪情報５２１を参照して、ベビーカーレンタル専用以外で空いている駐輪設備３を特定し、特定した駐輪設備３の設備番号を表示部７に表示する。また、特定した駐輪設備３の位置を利用者に通知するために、入庫タスク５３は、該当する駐輪設備３の駐輪位置ランプ３５を点滅させる。
【００６７】
利用者が指示された駐輪設備３に自転車Ｃを入庫し、その駐輪設備３の自転車センサ３２が自転車Ｃの入庫を検知すると、入庫タスク５３は、自転車ロック３３を作動させて入庫された自転車Ｃをロックし、駐輪位置ランプ３５を消灯させる。これにより、利用者は適正な出庫操作を行った場合にのみ自転車Ｃの出庫が可能となる。
【００６８】
入庫タスク５３は、自転車ロック３３の作動後、駐輪情報５２１にアクセスし、該当する駐輪設備３のステータスを「空」から「入」に変更し、入庫時刻を登録する。これにより、入庫後の駐輪設備３は利用不可となる。
【００６９】
利用者が駐輪設備３に入庫することによって開始する入庫タスクを導入することも可能である。この場合、入庫ボタン８１は必要なく、先ず利用者がベビーカー専用以外の空いている駐輪設備３（図１の設備番号３〜１０の空いている駐輪設備）に入庫する。駐輪設備３の自転車センサ３２が入庫を検知すると、入庫タスクが起動し、自転車ロック３３の作動後、駐輪情報５２１にアクセスし、該当する駐輪設備３のステータスを「空」から「入」に変更し、入庫時刻を登録する。これにより、入庫後の駐輪設備３は利用不可となる。
【００７０】
出庫タスク５４は、駐輪のみの利用者のための、駐輪設備３から自転車Ｃを出庫する際の処理に関するタスク・プログラムであり、出庫ボタン８２が操作されると起動する。出庫タスク５４は、表示部７に、「出庫する自転車ラックの番号を入力してください」などのメッセージを表示する。テンキー８６によって出庫する駐輪設備３の設備番号が入力されると、出庫タスク５４は、ＤＢ５２の駐輪情報５２１と料金情報５２３とを参照し、入庫時刻から現在時刻までの利用料金を算出して、算出した利用料金を表示部７に表示する。この実施の形態では、例えば、２時間までの利用料金を無料とし、２時間以降は、例えば３０分ごとに所定の料金が加算されるものとする。なお、出庫ボタン８２は駐輪のみの利用者のためのものであるため、ベビーカーレンタル利用者が返却時に誤って操作した場合には、テンキー８６によって出庫する駐輪設備３の設備番号が入力された後に、その旨を管理装置５の表示部７に表示し、操作が終了するよう出庫タスク５４をプログラムすることが可能である。
【００７１】
利用者が入金部に利用料金を入金すると、出庫タスク５４は、その駐輪設備３の自転車ロック３３を解除する。自転車センサ３２によって、利用者が駐輪設備３から自転車Ｃを出庫したことが検知されると、出庫タスク５４は、駐輪情報５２１にアクセスして、該当する駐輪設備３のステータスを「入」から「空」に変更し、入庫時刻を消去する。これにより、出庫後の駐輪設備３は、再び利用可能となる。
【００７２】
なお、上述した入庫タスク５３および出庫タスク５４は、従来の一般的な駐輪システムと同様のものであるため、詳しい説明は省略する。
【００７３】
貸出タスク５５は、駐輪設備３を利用する利用者にベビーカーＢを貸し出す際の処理に関するタスク・プログラムであり、貸出ボタン８３が操作されると起動する。返却タスク５６は、ベビーカーＢの返却受け付けと、返却した利用者の自転車Ｃを出庫する際の処理に関するタスク・プログラムであり、返却ボタン８４が操作されると起動する。
【００７４】
図８のフローチャートで示すように、ベビーカーＢの貸し出しに関する一連の処理は、貸出タスク５５、返却タスク５６の順に行なわれる。なお、本実施の形態では、複数の利用者間で駐輪設備および貸出設備の組み合わせに誤りが生じるなどの誤作動を防ぐため、貸出申込み時（ステップＳ１）に、他の利用者の貸出タスク５５あるいは返却タスク５６などを処理していない場合（ステップＳ２でＮＯ）は、貸出タスク５５を実行し（ステップＳ３）、他の利用者の貸出タスク５５あるいは返却タスク５６などを処理中である場合（ステップＳ２でＹＥＳ）には、その申込み操作を受け付けないようにしている。同様に、返却申込み時（ステップＳ４）、他の利用者の貸出タスク５５あるいは返却タスク５６などを処理していない場合（ステップＳ５でＮＯ）は、返却タスク５６を実行し（ステップＳ６）、他の利用者の貸出タスク５５あるいは返却タスク５６などを処理中である場合（ステップＳ５でＹＥＳ）には、その申込み操作を受け付けないようにしている。
【００７５】
次に、図９にフローチャートにしたがって、貸出タスク５５の処理手順を説明する。貸出タスク５５は、貸出ボタン８３が操作されると、ＤＢ５２の貸出情報５２２を参照してベビーカーＢの在庫を確認し、自転車Ｃが駐輪される駐輪設備３と、ベビーカーＢを貸し出す貸出設備４とを決定する（ステップＳ１１）。ベビーカーＢの在庫がない場合（ステップＳ１１でＮＯ）には、表示部７に、貸し出し可能なベビーカーがない旨のメッセージを表示する（ステップＳ１２）。この場合、貸出タスク５５は終了する。
【００７６】
ベビーカーＢの在庫がある場合（ステップＳ１１でＹＥＳ）には、貸出タスク５５は、ＤＢ５２の料金情報５２３を参照してベビーカーＢの利用料金を決定し、表示部７に表示する（ステップＳ１３）。この実施の形態では、例えば、ベビーカーＢの貸出時に、所定時間内の利用を許容するとともに、レンタル時の保証金となる基本利用料の徴収を行い、返却時に利用時間に応じた加算料金の徴収を行うものとする。したがって、このステップ１３では、ベビーカーＢの基本利用料金が表示部７に表示される。
【００７７】
利用者により入金部から基本利用料金が入金されると（ステップＳ１４でＹＥＳ）、貸出タスク５５は、決定した駐輪設備３の設備番号と貸出設備４の貸出番号とを表示部７に表示するとともに（ステップＳ１５）、駐輪位置ランプ３５と貸出位置ランプ４５とを点滅させる（ステップＳ１６）。これにより、利用者は、容易に、かつ誤ることなく自転車Ｃを駐輪する駐輪設備３と、ベビーカーＢを借り受ける貸出設備４とを識別することができる。また、表示部７に、「自転車を入庫した後で、ベビーカーを出庫してください。」といった文章を表示することで、貸出タスク５５のエラーを防ぐことが可能である。
【００７８】
利用者が自転車Ｃを指定された駐輪設備３に入庫したことが自転車センサ３２によって検知されると（ステップＳ１７でＹＥＳ）、貸出タスク５５は、その駐輪設備３の自転車ロック３３をロックする（ステップＳ１８）。これにより、入庫した自転車Ｃが駐輪料金を支払わずに出庫されるのを防ぐことができる。なお、貸出設備４からベビーカーＢを取り出した後に駐輪設備３から自転車Ｃを出庫し、自転車Ｃを駐輪せずにベビーカーＢだけを取得するような不正行為を防ぐため、自転車Ｃの入庫後すぐにロックするように制御することが好ましい。
【００７９】
また、貸出タスク５５は、指定した貸出設備４のベビーカーロック４３を解除し、ベビーカーＢをベビーカーラック４１から取り出せるようにする（ステップＳ１９）。利用者がベビーカーＢを指定された貸出設備４から取り出したことがベビーカーセンサ４２によって検知されると（ステップＳ２０でＹＥＳ）、貸出タスク５５は、駐輪位置ランプ３５と貸出位置ランプ４５とを消灯し（ステップＳ２１）、ＤＢ５２の駐輪情報５２１および貸出情報５２２を更新する（ステップＳ２２）。具体的には、駐輪情報５２１の該当する駐輪設備３のステータスを「空」から「入」に変更し、入庫時刻を登録する。また、貸出情報５２２の該当する貸出設備４のステータスを「有」から「無」に変更し、貸出時刻を登録する。これにより、情報が更新された駐輪設備３と貸出設備４は他の利用者には利用不可となる。
【００８０】
次に、図１０に示すフローチャートにしたがって、返却タスク５６の処理手順を説明する。返却タスク５６は、返却ボタン８４が操作されると、表示部７に、「返却するベビーカーの番号を入力してください」などのメッセージを表示する。ベビーカーＢの番号と、貸出設備４の貸出番号は一致しているので、返却タスク５６は、ベビーカーＢの番号から対応する貸出設備４の貸出番号を特定することができる。
【００８１】
利用者がテンキー８６を操作してベビーカーＢの番号を入力すると（ステップＳ２３）、返却タスク５６は、ＤＢ５２の貸出情報５２２と料金情報５２３とを参照し、貸出時刻から現在時刻までの加算料金を算出する。また、返却タスク５６は、ＤＢ５２の駐輪情報５２１と料金情報５２３とを参照し、入庫時刻から現在時刻までの駐輪設備の利用料金を算出する。そして、算出したベビーカーＢの加算料金と、駐輪設備３の利用料金とを表示部７に表示する（ステップＳ２４）。
【００８２】
利用者により入金部から加算料金と利用料金とが入金されると（ステップＳ２５でＹＥＳ）、返却タスク５６は、ベビーカーＢが返却される貸出設備４の貸出番号と、自転車Ｃが出庫される駐輪設備３の設備番号とを表示部７に表示するとともに（ステップＳ２６）、駐輪位置ランプ３５と貸出位置ランプ４５とを点滅させる（ステップＳ２７）。これにより、利用者は、容易かつ誤ることなくベビーカーＢを返却する貸出設備４と、自転車Ｃを出庫する駐輪設備３とを識別することができる。また、表示部７に、「ベビーカーを入庫した後で、自転車を出庫してください。」といった文章を表示することで、返却タスク５６のエラーを防ぐことが可能である。
【００８３】
利用者がベビーカーＢを指定された貸出設備４に収容したことがベビーカーセンサ４２によって検知されると（ステップＳ２８でＹＥＳ）、返却タスク５６は、ＩＣタグリーダ４６から送信されたタグ情報に基づいて、貸出設備４に対応するベビーカーＢが収容されたか否かを確認する（ステップＳ２９）。収容されたベビーカーＢが貸出設備４に対応しない場合（ステップＳ２９でＮＯ）、表示部７に、ベビーカーが対応するものではない旨のメッセージを表示する（ステップＳ３０）。この場合、入金された加算料金と利用料金とを返金し、返却タスク５６は終了する。これにより、ベビーカーＢが対応しない貸出設備４に返却されるのを防ぎ、ベビーカーＢと貸出設備４との対応付けを常に維持することが可能である。また、貸し出したものとは異なるベビーカーや、ベビーカー以外の物品が貸出設備４に収容された場合にも対応することができ、ベビーカーＢが正常に返却されないと、自転車Ｃを出庫できないため、ベビーカーＢを詐取するような不正行為を防ぐことができる。
【００８４】
タグ情報に基づいて、貸出設備４に収容されたベビーカーＢが対応するものであることが確認された場合には（ステップＳ２９でＹＥＳ）、返却タスク５６は、ベビーカーロック４３を作動させ（ステップＳ３１）、ベビーカーＢの貸出設備４からの不正な取り出しを防止する。次いで、返却タスク５６は、利用者が自転車Ｃを駐輪している駐輪設備３の自転車ロック３３を解除する（ステップＳ３２）。
【００８５】
自転車センサ３２によって、利用者が駐輪設備３から自転車Ｃを出庫したことが検知されると（ステップＳ３３でＹＥＳ）、返却タスク５６は、駐輪位置ランプ３５と貸出位置ランプ４５とを消灯し（ステップＳ３４）、ＤＢ５２の駐輪情報５２１および貸出情報５２２を更新する（ステップＳ３５）。具体的には、駐輪情報５２１の該当する駐輪設備３のステータスを「入」から「空」に変更し、入庫時刻を消去する。また、貸出情報５２２の該当する貸出設備４のステータスを「無」から「有」に変更し、貸出時刻を消去する。これにより、情報が更新された駐輪設備３と貸出設備４は利用可能となる。なお、駐輪情報５２１および貸出情報５２２は、更新時にバックアップ用のデータベース（図示せず）に保存し、駐輪および貸出の履歴情報を確認できるようにすることが好ましい。
【００８６】
以上で説明したように、実施の形態１のベビーカーレンタル・駐輪システム２によれば、上述の［発明の効果］の欄で説明した請求項１〜５、８〜１０の効果と同様の効果を得ることが可能である。
【００８７】
なお、上記の実施の形態では、管理装置５は、一つの装置に自転車Ｃの入庫と出庫を管理する機能と、ベビーカーＢの貸出と返却を管理する機能とを備えているが、自転車Ｃの入庫と出庫を管理する機能を備えた管理装置５Ａ（図示せず）と、ベビーカーＢの貸出と返却を管理する機能を備えた管理装置５Ｂ（図示せず）とを別々に分けて設置する、ベビーカーレンタル・駐輪システム２Ａとして構成することも可能である。
【００８８】
この場合、管理装置５Ａは、貸出タスク５５と返却タスク５６を備えず、管理装置５Ｂは入庫タスク５３と出庫タスク５４を備えないが、表示部７と操作部８は管理装置５と同様の機能を備え、両管理装置は、相互に接続された中央処理部５７により、駐輪情報５２１、貸出情報５２２および料金情報５２３を共有する。また管理装置５Ａの入出力部５１Ａは、自転車センサ３２、自転車ロック３３、駐輪位置ランプ３５などが接続され、管理装置５Ｂの入出力部５１Ｂは、ベビーカーセンサ４２、ベビーカーロック４３、貸出位置ランプ４５、ＩＣタグリーダ４６などが接続され、中央処理部５７によりそれぞれのタスクや情報と接続している。
【００８９】
このような構成とすることで、駐輪利用のみの利用者は入力操作や精算の時に管理装置５Ａを利用し、ベビーカーＢをレンタルする利用者は管理装置５Ｂを利用するため、利用者にとって操作手続きが明確になる。また、運営者にとっては設備費用などの負担が増すが、既存の駐輪システムへの適用が容易になる。すなわち、既存の駐輪場にベビーカー貸出用の管理装置５Ｂと貸出設備４とを設置し、その駐輪場の管理装置に管理装置５Ｂをリンクさせれば、既存の駐輪場で比較的容易に、かつ導入コストを抑えてベビーカーの貸出を可能にすることができる。
【００９０】
（実施の形態２）
図１１は、この実施の形態に係るベビーカーレンタル・駐輪システムの貸出タスクを示すフローチャートである。この実施の形態は、ベビーカーレンタル専用の駐輪設備を設定せず、貸出タスク５５Ａにより、全ての空いている駐輪設備３（図１では設備番号１〜１０番の駐輪設備３）から駐輪設備を特定する駐輪設備選定型のベビーカーレンタル・駐輪設備に関する。なお、実施の形態１と同様の構成については、同一符号を付することでその説明を省略する。
【００９１】
この貸出タスク５５Ａでは、特定の駐輪設備３（例えば、設備番号１番と２番）と、特定の貸出設備４（例えば、貸出番号１番と２番）とが、設備番号１番と貸出番号１番、設備番号２番と貸出番号２番というように、一対一でリンクするように設定（以下、これを「基本設定」という。）されているが、設備番号１番と２番の駐輪設備３は、ベビーカーＢのレンタル利用者専用とはされておらず、自転車Ｃの駐輪のみにも利用可能となっている。図１２は、この実施の形態で利用される駐輪情報５２１Ａを示し、設備番号１、２の属性には、それぞれ基本設定を表す「基本」が登録されている。また、基本設定以外の駐輪設備３がベビーカーＢの貸出時に使用された場合には、その駐輪設備の属性に「選択」が登録される。
【００９２】
図１１に示すように、貸出タスク５５Ａは、利用者が貸出ボタン８３を操作すると、貸出情報５２２Ａを参照してベビーカーＢの在庫を確認する（ステップＳ４０）。ベビーカーＢの在庫がない場合（ステップＳ４０でＮＯ）には、表示部７に、貸し出し可能なベビーカーがない旨のメッセージを表示する（ステップＳ４１）。この場合、貸出タスク５５Ａは終了する。
【００９３】
また、貸出タスク５５Ａは、ベビーカーＢの在庫があり（ステップＳ４０でＹＥＳ）、かつ、そのベビーカーＢにリンクする基本設定の駐輪設備３が未使用な場合には（ステップＳ４２でＹＥＳ）、ベビーカーＢを貸し出す貸出設備４と、この貸出設備４に基本設定として対応する駐輪設備３とを決定する。図１２および図１３に示す例では、貸出タスク５５Ａは、１０時３８分に設備番号２番と貸出番号２番を決定している。
【００９４】
これに対し、例えば、貸出番号１番のベビーカーＢの在庫はあるが（ステップＳ４０でＹＥＳ）、これにリンクした基本設定の設備番号１番の駐輪設備３が使用されている場合には（ステップＳ４２でＮＯ）、基本設定以外の駐輪設備３（設備番号２〜１０）の空きを貸出情報５２１Ａから確認し（ステップＳ４３）、空いている駐輪設備３がある場合には（ステップＳ４３でＹＥＳ）、その空いている駐輪設備３を選択する。図１２および図１３に示す例では、貸出タスク５５Ａは、１２時４７分に貸出番号１番に対して設備番号３番を選択している。
【００９５】
その後、実施の形態１のステップＳ１３〜Ｓ２２と同様の処理が行なわれ、図１３に示す貸出情報５２２Ａの貸出番号が１番の対応設備番号の欄には、選択された駐輪設備３の設備番号３番を表す「３」の数字が登録される。なお、基本設定以外の駐輪設備を選択する場合には、利用者の利便性向上のため、貸出設備４から近い順に駐輪設備３を選択するよう貸出タスク５５Ａをプログラムすることが好ましい。
【００９６】
また、空いている駐輪設備３がない場合には（ステップＳ４３でＮＯ）、表示部７に駐輪可能な駐輪設備３ない旨のメッセージを表示する（ステップＳ４１）。したがって、空いている駐輪設備３がない場合は、たとえ利用可能なベビーカーＢがあっても、エラーとなって貸出操作が終了し、その旨が表示部７に表示される。
【００９７】
実施の形態２の返却タスク５６Ａは、実施の形態１の返却タスク５６と同様であるため、その説明を省略する（図１０）。
【００９８】
以上で説明したように、実施の形態２のベビーカーレンタル・駐輪システムによれば、貸し出し可能なベビーカーＢがあり、かつ空いている駐輪設備３があるかぎり、それらのいずれかを組みあわせてベビーカーＢをレンタルすることが可能になり、上述の［発明の効果］の欄で説明した請求項６の効果と同様の効果を得ることが可能である。
【００９９】
（実施の形態３）
図１４は、この実施の形態に係るベビーカーレンタル・駐輪システムの貸出タスク５５Ｂを示すフローチャートである。この実施の形態は、利用者が先に空いている駐輪設備３に自転車Ｃを入庫してからベビーカーＢの貸出申込み操作を行なう、駐輪設備利用者選択型のベビーカーレンタル・駐輪設備に関する。なお、実施の形態１と同様の構成については、同一符号を付することでその説明を省略する。
【０１００】
この貸出タスクでは、利用者は、まず空いている任意の駐輪設備３に自転車Ｃを入庫する。入庫後、貸出ボタン８３を操作すると、表示部７には「入庫した自転車ラックの番号を入力してください」などのメッセージが表示される。利用者が駐輪設備３の設備番号を入力すると（ステップＳ５０）、貸出タスク５５Ｂは、駐輪設備３の自転車センサ３２により、入力された駐輪設備３に自転車Ｃが入庫されているか否かを確認する（ステップＳ５１）。
【０１０１】
自転車Ｃの入庫が確認された場合には、貸出情報５２２を参照してベビーカーＢの在庫確認を行い（ステップＳ５２）、貸出可能なベビーカーＢがある場合には（ステップＳ５２でＹＥＳ）、利用者が自転車Ｃを入庫した駐輪設備３の自転車ロック３３を作動させる（ステップＳ５３）。その後、実施の形態１のステップＳ１３〜Ｓ１６、Ｓ１９〜Ｓ２２と同様の処理が行なわれ、駐輪情報５２１および貸出情報５２２が更新される。
【０１０２】
実施の形態３の返却タスク５６Ｂは、実施の形態１の返却タスク５６と同様であるため、その説明を省略する（図１０）。
【０１０３】
以上で説明したように、実施の形態３のベビーカーレンタル・駐輪システムによれば、上述の［発明の効果］の欄で説明した請求項７の効果と同様の効果を得ることが可能である。
【０１０４】
なお、この貸出タスク５５Ｂでは、自転車Ｃを駐輪していない者が、貸出ボタン８３を操作後、他の利用者が使用中の設備番号を入力してベビーカーＢを不正にレンタルすることが可能になる。このような不正利用や、貸出ボタン８３を操作する際の設備番号の誤入力による返却処理のトラブルなどを防ぐために、自転車Ｃの入庫後、数分以内に貸出ボタン８３が操作されないと、貸出タスクが進行しないようにプログラムしたり、ベビーカーＢの利用料金とともに保証金を徴収し、出庫時に保証金を返却するようにしてもよい。
【０１０５】
以上、この発明の実施の形態１〜３について説明したが、具体的な構成は、上記の実施の形態１〜３に限られるものではなく、この発明の要旨を逸脱しない範囲の設計や処理手順の変更等があっても、この発明に含まれる。例えば、駐輪設備３と貸出設備４の位置を示すために、ランプ３５、４５を設けたが、これに代えて、あるいはこれとともにスピーカーから案内音声を流すようにしてもよい。また、ベビーカーラック４１や付帯する機能手段（４２，４３，４６など）は、図３に示す形状に限られず、例えばベビーカーＢを折り畳み式にして、折畳んだベビーカーＢを設置する形状にしてもよい。
【０１０６】
また、貸出ボタン８３の操作後に入金されない場合や、入金後、駐輪設備３で入庫が検知されない場合、または貸出設備４からベビーカーＢの取り出しが検知されない場合など、処理段階で進行が中断した場合には、一定時間後に操作を中止し、処理をキャンセルするようにしてもよい。また、利用者が貸出ボタン８３を操作した後、他の利用者が知らずに指定された駐輪設備３に自転車Ｃを入庫してしまった場合、取消ボタン８７を操作して処理を中止して料金を返金し、再度貸出の処理を開始することが好ましい。
【０１０７】
さらに、人による見回りや監視カメラにより、自転車Ｃの代わりに他の物品を駐輪設備３に入れている事がわかった時点で保証金を返却しないように管理装置５に指示することも可能である。また、ベビーカーＢを持ち帰るといった不正を防止するため、ベビーカーＢを特殊な形状にして、一般のベビーカーと容易に判別できるようにしたり、駐輪場名等の文字をベビーカーＢに目立つように表示するなどの工夫も考えられる。また、監視カメラの画像と、管理装置５に記憶されている駐輪設備３と貸出設備４の利用状況とに基づき、不正使用した人物や日時を割り出すことも可能である。
【０１０８】
また、破損されたベビーカーＢが返却されるのを防ぐため、返却前に、駐輪場１に設置した確認用のカメラでベビーカーＢの状態を撮影し、この撮影画像を管理者などが確認し、問題ない場合に返却を受け付け、破損がある場合には、管理者が駐輪場１まで出かけて利用者と修理等について交渉できるようにしてもよい。
【０１０９】
また、上記の実施の形態では、屋内型の駐輪場１を例に説明したが、屋外型の駐輪場にも適応可能である。この場合、番号プレート３４、駐輪位置ランプ３５、番号プレート４４および貸出位置ランプ４５などは、駐輪設備３や貸出設備４と一体にあるいは隣接して設置されたスタンドに設置するのが好ましい。
【０１１０】
また、本発明は、自転車とベビーカー以外の物品の組み合わせにも適用が可能であり、これらの物品の保管設備と貸出設備とを同様にリンクさせるシステムとして応用することが可能である。
【０１１１】
１        駐輪場
２        駐輪システム
３        駐輪設備
３１      自転車ラック（自転車収容手段）
３２      自転車センサ（自転車検知手段）
３３      自転車ロック（自転車ロック手段）
３５      駐輪位置ランプ
４        貸出設備
４１      ベビーカーラック（ベビーカー収容手段）
４２      ベビーカーセンサ（ベビーカー検知手段）
４３      ベビーカーロック（ベビーカーロック手段）
４５      貸出位置ランプ
４６      ＩＣタグリーダ
５        管理装置
５２      データベース（記憶手段）
５２１    駐輪情報
５２２    貸出情報
５３      入庫タスク
５４      出庫タスク
５５      貸出タスク（貸出制御手段）
５６      返却タスク（返却制御手段）
７        表示部（表示手段）
８        操作部（操作手段）
８３      貸出ボタン
８４      返却ボタン
Ｂ        ベビーカー
Ｂ２      ＩＣタグ
Ｃ        自転車
【図１】
2019028496.tif 000003
【図２】
2019028496.tif 000004
【図３】
2019028496.tif 000005
【図４】
2019028496.tif 000006
【図５】
2019028496.tif 000007
【図６】
2019028496.tif 000008
【図７】
2019028496.tif 000009
【図８】
2019028496.tif 000010
【図９】
2019028496.tif 000011
【図１０】
2019028496.tif 000012
【図１１】
2019028496.tif 000013
【図１２】
2019028496.tif 000014
【図１３】
2019028496.tif 000015
【図１４】
2019028496.tif 000016
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
駐輪場に設置されるベビーカーレンタル・駐輪システムであって、
自転車が収容される自転車収容手段と、前記自転車収容手段に前記自転車が収容されているか否かを検知する自転車検知手段と、前記自転車収容手段に収容された前記自転車をロックする自転車ロック手段と、を備え、前記駐輪場の利用者の自転車が入庫され、出庫される複数の駐輪設備と、
ベビーカーを収容するベビーカー収容手段と、前記ベビーカー収容手段に前記ベビーカーが収容されているか否かを検知するベビーカー検知手段と、前記ベビーカー収容手段に収容された前記ベビーカーをロックするベビーカーロック手段と、を備え、前記駐輪場の利用者にベビーカーを貸し出し、貸し出した前記ベビーカーの返却を受け付ける複数の貸出設備と、
前記駐輪設備に対する前記自転車の入庫および出庫と、前記貸出設備からの前記ベビーカーの貸し出しおよび返却とを管理する管理装置と、
を備え、
前記管理装置は、
前記ベビーカーを貸し出す際に、利用者の自転車が前記自転車収容手段に収容されていることが前記自転車検知手段によって検知された場合に、前記自転車ロック手段により前記自転車をロックし、その後に前記ベビーカーロック手段を解除して前記ベビーカー収容手段から前記ベビーカーを貸し出し可能にする貸出制御手段と、
前記ベビーカーの返却を受け付ける際に、貸し出された前記ベビーカーが前記ベビーカー収容手段に収容されていることが前記ベビーカー検知手段によって検知された場合に、前記ベビーカーロック手段により前記ベビーカーをロックし、その後に前記自転車ロック手段を解除して前記自転車収容手段から利用者の前記自転車を出庫可能にする返却制御手段と、を備え、
前記駐輪設備に前記自転車を駐輪している利用者にのみ、前記貸出設備からの前記ベビーカーの貸し出しを許容し、貸し出した前記ベビーカーが前記貸出設備に返却された場合にのみ、前記駐輪設備に駐輪していた前記自転車の出庫を許容する、
ことを特徴とするベビーカーレンタル・駐輪システム。
【請求項２】
前記管理装置は、
利用者が前記ベビーカーの貸し出しを申し込むための操作手段と、
前記ベビーカーの貸し出しおよび返却に関する情報を表示する表示手段と、
前記駐輪設備の利用状況が管理された駐輪情報と、前記ベビーカーの貸出状況が管理され、前記ベビーカーを貸し出す際に利用者の自転車が入庫された前記駐輪設備の設備番号が対応付けられる貸出情報と、を記憶する記憶手段と、
を備えており、
前記貸出制御手段は、前記操作手段から前記ベビーカーの貸し出しが申し込まれた場合に、前記記憶手段を参照して前記ベビーカーの貸し出しが可能な前記貸出設備を特定し、特定した前記貸出設備の設備番号である貸出番号を前記表示手段に表示する、
ことを特徴とする請求項１に記載のベビーカーレンタル・駐輪システム。
【請求項３】
前記貸出制御手段は、前記操作手段から前記ベビーカーの貸し出しが申し込まれた場合に、前記記憶手段を参照して前記ベビーカーの貸出専用とされた前記駐輪設備の中から前記自転車の入庫が可能な前記駐輪設備を特定し、特定した前記駐輪設備の設備番号を前記貸出設備の貸出番号とともに前記表示手段に表示する、
ことを特徴とする請求項２に記載のベビーカーレンタル・駐輪システム。
【請求項４】
前記貸出制御手段は、前記操作手段から前記ベビーカーの貸し出しが申し込まれた場合に、前記記憶手段を参照して全ての空いている前記駐輪設備の中から選択した前記駐輪設備の設備番号を、前記貸出設備の貸出番号とともに前記表示手段に表示する、
ことを特徴とする請求項２に記載のベビーカーレンタル・駐輪システム。
【請求項５】
前記貸出制御手段は、前記駐輪設備に自転車を入庫した後の利用者が前記操作手段から前記ベビーカーの貸し出しを申し込み、かつ前記自転車を入庫した前記駐輪設備の設備番号を入力した場合に、当該駐輪設備の前記自転車検知手段により前記自転車の入庫を検知し、入庫が確認された場合に、前記記憶手段を参照して前記ベビーカーの貸し出しが可能な前記貸出設備を特定し、特定した前記貸出設備の貸出番号を前記表示手段に表示する、
ことを特徴とする請求項２に記載のベビーカーレンタル・駐輪システム。
【請求項６】
前記ベビーカーと、前記貸出設備とはそれぞれ対応付けられており、前記返却制御手段は、前記貸出設備に対応付けられた前記ベビーカーが前記ベビーカー収容手段に収容された場合に返却を受け付ける、
ことを特徴とする請求項１ないし５のいずれか１項に記載のベビーカーレンタル・駐輪システム。
【請求項７】
前記貸出制御手段は、前記ベビーカーの貸し出しあるいは返却処理中は、新たなベビーカーの貸し出しあるいは返却の申込みの操作を受け付けない、
ことを特徴とする請求項１ないし６のいずれか１項に記載のベビーカーレンタル・駐輪システム。
【請求項８】
前記貸出制御手段は、前記ベビーカーの貸し出し時に、前記記憶手段に記憶された前記駐輪設備および前記ベビーカーの利用に関する料金情報を参照して前記ベビーカーの利用料金あるいは保証金の徴収を行い、前記返却制御手段は、前記ベビーカーの返却時に、前記料金情報を参照して前記駐輪設備の利用料金の徴収、および前記ベビーカーの利用料金の清算処理を行う、
ことを特徴とする請求項２に記載のベビーカーレンタル・駐輪システム。
【手続補正２】
【補正対象書類名】明細書
【補正対象項目名】００１１
【補正方法】変更
【補正の内容】
【００１１】
また、請求項１に記載の発明の前記管理装置は、前記駐輪設備に前記自転車を駐輪している利用者にのみ前記貸出設備からの前記ベビーカーの貸し出しを許容し、貸し出した前記ベビーカーが前記貸出設備に返却された場合にのみ、前記駐輪設備に駐輪していた前記自転車の出庫を許容する、ことを特徴とする。
【手続補正３】
【補正対象書類名】明細書
【補正対象項目名】００１２
【補正方法】変更
【補正の内容】
【００１２】
さらに、請求項１に記載の発明は、前記駐輪設備は、前記自転車が収容される自転車収容手段と、前記自転車収容手段に前記自転車が収容されているか否かを検知する自転車検知手段と、前記自転車収容手段に収容された前記自転車をロックする自転車ロック手段と、を備え、前記貸出設備は、前記ベビーカーを収容するベビーカー収容手段と、前記ベビーカー収容手段に前記ベビーカーが収容されているか否かを検知するベビーカー検知手段と、前記ベビーカー収容手段に収容された前記ベビーカーをロックするベビーカーロック手段と、を備え、前記管理装置は、前記ベビーカーを貸し出す際に、利用者の自転車が前記自転車収容手段に収容されていることが前記自転車検知手段によって検知された場合に、前記自転車ロック手段により前記自転車をロックし、その後に前記ベビーカーロック手段を解除して前記ベビーカー収容手段から前記ベビーカーを貸し出し可能にする貸出制御手段と、前記ベビーカーの返却を受け付ける際に、貸し出された前記ベビーカーが前記ベビーカー収容手段に収容されていることが前記ベビーカー検知手段によって検知された場合に、前記ベビーカーロック手段により前記ベビーカーをロックし、その後に前記自転車ロック手段を解除して前記自転車収容手段から利用者の前記自転車を出庫可能にする返却制御手段と、を備えることを特徴とする。
【手続補正４】
【補正対象書類名】明細書
【補正対象項目名】００１３
【補正方法】変更
【補正の内容】
【００１３】
請求項２に記載の発明は、請求項１に記載のベビーカーレンタル・駐輪システムにおいて、前記管理装置は、利用者が前記ベビーカーの貸し出しを申し込むための操作手段と、前記ベビーカーの貸し出しおよび返却に関する情報を表示する表示手段と、前記駐輪設備の利用状況が管理された駐輪情報と、前記ベビーカーの貸出状況が管理され、前記ベビーカーを貸し出す際に利用者の自転車が入庫された前記駐輪設備の設備番号が対応付けられた貸出情報と、を記憶する記憶手段と、を備えており、前記貸出制御手段は、前記操作手段から前記ベビーカーの貸し出しが申し込まれた場合、前記記憶手段を参照して前記ベビーカーの貸し出しが可能な前記貸出設備を特定し、特定した前記貸出設備の設備番号である貸出番号を前記表示手段に表示する、ことを特徴とする。
【手続補正５】
【補正対象書類名】明細書
【補正対象項目名】００１４
【補正方法】変更
【補正の内容】
【００１４】
請求項３に記載の発明は、請求項２に記載のベビーカーレンタル・駐輪システムにおいて、前記貸出制御手段は、前記操作手段から前記ベビーカーの貸し出しが申し込まれた場合に、前記記憶手段を参照して前記ベビーカーの貸出専用とされた前記駐輪設備の中から前記自転車の入庫が可能な前記駐輪設備を特定し、特定した前記駐輪設備の設備番号を前記貸出設備の貸出番号とともに前記表示手段に表示する（以下、専用駐輪設備型という）、ことを特徴とする。
【手続補正６】
【補正対象書類名】明細書
【補正対象項目名】００１５
【補正方法】変更
【補正の内容】
【００１５】
請求項４に記載の発明は、請求項２に記載のベビーカーレンタル・駐輪システムにおいて、前記貸出制御手段は、前記操作手段から前記ベビーカーの貸し出しが申し込まれた場合に、前記記憶手段を参照して全ての空いている前記駐輪設備の中から選択した前記駐輪設備の設備番号を、前記貸出設備の貸出番号とともに前記表示手段に表示する（以下、駐輪設備選定型という）ことを特徴とする。
【手続補正７】
【補正対象書類名】明細書
【補正対象項目名】００１６
【補正方法】変更
【補正の内容】
【００１６】
請求項５に記載の発明は、請求項２に記載のベビーカーレンタル・駐輪システムにおいて、前記貸出制御手段は、前記駐輪設備に自転車を入庫した後の利用者が前記操作手段から前記ベビーカーの貸し出しを申し込み、かつ前記自転車を入庫した前記駐輪設備の設備番号を入力した場合に、当該駐輪設備の前記自転車検知手段により前記自転車の入庫を検知し、入庫が確認された場合に、前記記憶手段を参照して前記ベビーカーの貸し出しが可能な前記貸出設備を特定し、特定した前記貸出設備の貸出番号を前記表示手段に表示する（以下、駐輪設備利用者選択型という）、ことを特徴とする。
【手続補正８】
【補正対象書類名】明細書
【補正対象項目名】００１７
【補正方法】変更
【補正の内容】
【００１７】
請求項６に記載の発明は、請求項１ないし５のいずれか１項に記載のベビーカーレンタル・駐輪システムにおいて、前記ベビーカーと、前記貸出設備とはそれぞれ対応付けられており、前記返却制御手段は、前記貸出設備に対応付けられた前記ベビーカーが前記ベビーカー収容手段に収容された場合に返却を受け付ける、ことを特徴とする。
【手続補正９】
【補正対象書類名】明細書
【補正対象項目名】００１８
【補正方法】変更
【補正の内容】
【００１８】
請求項７に記載の発明は、請求項１ないし６のいずれか１項に記載のベビーカーレンタル・駐輪システムにおいて、前記貸出制御手段は、前記ベビーカーの貸し出しあるいは返却処理中は、新たな前記ベビーカーの貸し出しあるいは返却の申込みの操作を受け付けない、ことを特徴とする。
【手続補正１０】
【補正対象書類名】明細書
【補正対象項目名】００１９
【補正方法】変更
【補正の内容】
【００１９】
請求項８に記載の発明は、請求項２に記載のベビーカーレンタル・駐輪システムにおいて、前記貸出制御手段は、前記ベビーカーの貸し出し時に、前記記憶手段に記憶された前記駐輪設備および前記ベビーカーの利用に関する料金情報を参照して前記ベビーカーの利用料金あるいは保証金の徴収を行い、前記返却制御手段は、前記ベビーカーの返却時に、前記料金情報を参照して前記駐輪設備の利用料金の徴収、および前記ベビーカーの利用料金の清算処理を行う、ことを特徴とする。
【手続補正１１】
【補正対象書類名】明細書
【補正対象項目名】００２１
【補正方法】変更
【補正の内容】
【００２１】
また、請求項１に記載のベビーカーレンタル・駐輪システムによれば、管理装置は、駐輪設備に自転車を駐輪した利用者に貸出設備からのベビーカーの貸し出しを許容するので、自転車で乳幼児とともに移動する利用者の便益を図ることができる。また、ベビーカーの貸し出しが、駐輪設備に自転車を駐輪している利用者に限定されることにより、駐輪場に付加価値を与え、近隣に多数の駐輪場がある場合でも、ベビーカーを借りたい利用者を集客することが可能となり、駐輪場の安定した運営が可能となる。さらに、貸し出したベビーカーが貸出設備に返却された場合にのみ、駐輪設備に駐輪していた自転車の出庫を許容するようにしたので、自転車を担保としてベビーカーを貸し出すことになり、ベビーカーが適切に返却されずに駐輪場内に放置されたり、窃取されるなどの問題を防ぐことができ、駐輪場の安定した運営が可能となる。
【手続補正１２】
【補正対象書類名】明細書
【補正対象項目名】００２２
【補正方法】変更
【補正の内容】
【００２２】
さらに、請求項１に記載のベビーカーレンタル・駐輪システムによれば、管理装置の貸出制御手段により、ベビーカーを貸し出す際に、利用者の自転車が自転車収容手段に収容されていることが自転車検知手段によって検知された場合に、自転車ロック手段により自転車をロックし、その後にベビーカーロック手段を解除してベビーカー収容手段からベビーカーが貸し出し可能になるように制御するので、人手を介さず、無人かつ自動で駐輪設備の利用を確認し、その確認後にベビーカーの貸し出しを行なうことが可能である。したがって、管理者を置かない無人の駐輪場であっても、駐輪場の利用者にのみ適切にベビーカーの貸し出しを行なうことができる。さらに、返却制御手段により、ベビーカーの返却を受け付ける際に、貸し出されたベビーカーがベビーカー収容手段に収容されていることがベビーカー検知手段によって検知された場合に、ベビーカーロック手段によりベビーカーをロックし、その後に自転車ロック手段を解除して自転車収容手段から利用者の自転車を出庫可能にするので、人手を介さず、無人かつ自動でベビーカーの返却を確認し、その確認後に自転車の出庫を許容することが可能である。したがって、管理者を置かない無人の駐輪場であっても、ベビーカーが適切に返却されたことを確認し、その返却を条件として自転車の出庫を許容することができる。
【手続補正１３】
【補正対象書類名】明細書
【補正対象項目名】００２３
【補正方法】変更
【補正の内容】
【００２３】
請求項２に記載のベビーカーレンタル・駐輪システムによれば、管理装置の操作手段からベビーカーの貸し出しが申し込まれた場合に、記憶手段を参照してベビーカーの貸し出しが可能な貸出設備を特定し、特定した貸出設備の貸出番号を表示手段に表示することが可能となる。すなわち、利用者は申し込みの段階で事前にベビーカーの貸し出しが可能か確認することができるので、自転車を駐輪した後やベビーカー貸出設備に移動した後にベビーカーが借りられないことが分かる、という事態を防ぐことができる。また、利用者に供する貸出設備を管理装置側で指示するので、設備の利用状況の管理が容易になる。
【手続補正１４】
【補正対象書類名】明細書
【補正対象項目名】００２４
【補正方法】変更
【補正の内容】
【００２４】
請求項３に記載のベビーカーレンタル・駐輪システム（専用駐輪設備型）によれば、操作手段からベビーカーの貸し出しが申し込まれた場合に、記憶手段を参照してベビーカーの貸出専用とされた駐輪設備の中から自転車の入庫が可能な駐輪設備を特定し、特定した駐輪設備の設備番号を貸出設備の貸出番号とともに表示手段に表示するので、申し込みの段階で事前に自転車の駐輪が可能かを確認することができ、ベビーカーを借りた後や駐輪設備に移動した後に駐輪設備の空きが無いため自転車を駐輪できない、という事態を防ぐことができる。また、申し込み操作の過程に駐輪設備の設備番号を入力するステップがないため、設備番号の誤入力によるトラブルや、故意に他の利用者が使用中の設備番号を入力してベビーカーを不正にレンタルするといった不正行為は生じない。さらに、利用者に供する駐輪設備を管理装置側で指示するので、設備の利用状況の管理が容易になる。また、ベビーカーレンタル専用の駐輪設備を設置する専用駐輪設備型であるため、駐輪場の運用者には、システムが簡便であるという利点があり、利用者には、利用できるベビーカーがあれば、必ず駐輪ができるという利点がある。
【手続補正１５】
【補正対象書類名】明細書
【補正対象項目名】００２５
【補正方法】変更
【補正の内容】
【００２５】
請求項４に記載のベビーカーレンタル・駐輪システム（駐輪設備選定型）によれば、貸出制御手段は、操作手段からベビーカーの貸し出しが申し込まれた場合に、記憶手段を参照して全ての空いている駐輪設備の中から選択した駐輪設備の設備番号を、貸出設備の貸出番号とともに表示手段に表示するので、請求項３に記載の発明と同様の効果を得ることが可能である。また、システム側で駐輪設備を選定する駐輪設備選定型であり、ベビーカーレンタル専用の駐輪設備がないため、運用者には駐輪設備の利用効率が上がるという利点がある。さらに、ベビーカーをレンタルしない駐輪場利用者が誤ってレンタル専用の駐輪設備に自転車を入庫するといったトラブルが生じない。
【手続補正１６】
【補正対象書類名】明細書
【補正対象項目名】００２６
【補正方法】変更
【補正の内容】
【００２６】
請求項５に記載のベビーカーレンタル・駐輪システムによれば、請求項３、４に記載の駐輪システムと異なり、ベビーカー貸し出しの申し込み前に自転車を入庫するので、利用者は空いている駐輪設備を自由に選択できるという利点がある。また、請求項３、４に記載のシステムでは、貸し出しの申し込み操作後に、空いている駐輪設備がないため、申し込みが取り消され操作が終了するという事態が生じうるが、請求項５に記載にシステムではこのような事態は生じないため、利用者にとり無駄な手間を防ぐことができる。
【手続補正１７】
【補正対象書類名】明細書
【補正対象項目名】００２７
【補正方法】変更
【補正の内容】
【００２７】
請求項６に記載のベビーカーレンタル・駐輪システムによれば、ベビーカーと貸出設備とを対応付けしておき、貸出設備に対応付けられたベビーカーが収容された場合に返却を受け付けるようにしたので、ベビーカーが誤った貸出設備に返却されたり、貸し出したものとは違うベビーカーや、ベビーカー以外の物品が返却されて、貸し出したベビーカーが不正に詐取されるのを防ぐことが可能である。
【手続補正１８】
【補正対象書類名】明細書
【補正対象項目名】００２８
【補正方法】変更
【補正の内容】
【００２８】
請求項７に記載のベビーカーレンタル・駐輪システムによれば、ベビーカーの貸し出しあるいは返却処理中は、新たなベビーカーの貸し出しあるいは返却の申込みなどの操作を受け付けないようにしたので、複数の利用者が一度に管理装置を使用することで、複数の利用者で駐輪設備および貸出設備の組み合わせに誤りが生じるなどの誤作動を防ぐことが可能である。
【手続補正１９】
【補正対象書類名】明細書
【補正対象項目名】００２９
【補正方法】変更
【補正の内容】
【００２９】
請求項８に記載のベビーカーレンタル・駐輪システムによれば、ベビーカーの貸し出し時あるいはベビーカーの返却時に、記憶手段に記憶された料金情報を参照してベビーカーの利用料金の徴収や清算処理を行うようにしたので、利用者からの利用料金の適切な徴収が可能となり、駐輪場の安定した運営が可能となる。特に、貸し出し時に利用料金を徴収する際に、例えば、ベビーカーの返却時に返金される保証金を含めた料金設定とすることができ、ベビーカーの不正な詐取を防ぐことが可能となる。
【手続補正２０】
【補正対象書類名】明細書
【補正対象項目名】００８６
【補正方法】変更
【補正の内容】
【００８６】
以上で説明したように、実施の形態１のベビーカーレンタル・駐輪システム２によれば、上述の［発明の効果］の欄で説明した請求項１〜３、６〜８の効果と同様の効果を得ることが可能である。
【手続補正２１】
【補正対象書類名】明細書
【補正対象項目名】００９８
【補正方法】変更
【補正の内容】
【００９８】
以上で説明したように、実施の形態２のベビーカーレンタル・駐輪システムによれば、貸し出し可能なベビーカーＢがあり、かつ空いている駐輪設備３があるかぎり、それらのいずれかを組みあわせてベビーカーＢをレンタルすることが可能になり、上述の［発明の効果］の欄で説明した請求項４の効果と同様の効果を得ることが可能である。
【手続補正２２】
【補正対象書類名】明細書
【補正対象項目名】０１０３
【補正方法】変更
【補正の内容】
【０１０３】
以上で説明したように、実施の形態３のベビーカーレンタル・駐輪システムによれば、上述の［発明の効果］の欄で説明した請求項５の効果と同様の効果を得ることが可能である。